(57)【特許請求の範囲】
【請求項１】
一の主番組と一以上の副番組とで構成されるマルチ編成の番組を単一のストリーム信号に含めて放送するマルチ編成放送に対応したデジタル放送の放送記録装置であって、
前記ストリーム信号を受信する放送受信部と、
前記マルチ編成放送に含まれる番組の番組単位での録画を指示する録画指示部と、
前記録画指示部により録画を指示された番組を含むストリーム信号を格納する記憶部と、
前記録画指示部により録画を指示された番組が副番組である場合、前記記憶部に格納された前記ストリーム信号において、主番組と副番組のcomponent_group_idの値の入れ替えの可否を選択可能にユーザに提示し、当該選択に基づいて、EIT（Event Information Table）におけるコンポーネントグループ記述子の前記副番組のcomponent_group_idの値と前記主番組のcomponent_group_idの値とを入れ替える処理部と、
を具えることを特徴とする放送記録装置。
【請求項２】
一の主番組と一以上の副番組とで構成されるマルチ編成の番組を単一のストリーム信号に含めて放送するマルチ編成放送に対応したデジタル放送の放送記録装置であって、
前記ストリーム信号を受信する放送受信部と、
前記マルチ編成放送に含まれる番組の番組単位での録画を指示する録画指示部と、
前記録画指示部により録画を指示された番組が副番組である場合、前記放送受信部により受信される、前記録画を指示された番組を含むストリーム信号において、主番組と副番組のcomponent_group_idの値の入れ替えの可否を選択可能にユーザに提示し、当該選択に基づいて、EIT（Event Information Table）におけるコンポーネントグループ記述子の前記副番組のcomponent_group_idの値と前記主番組のcomponent_group_idの値とを入れ替える処理部と、
前記component_group_idの値を入れ替えたストリーム信号を格納する記憶部と、
を具えることを特徴とする放送記録装置。
【発明の詳細な説明】
【技術分野】
【０００１】
本発明は、デジタル放送の放送記録装置に関し、特に、単一のチャンネルにおいて同一時間に一の主番組および一以上の副番組が放送されるマルチ編成放送に対応し、記録したマルチ編成番組の再生時に、当該マルチ編成番組のうちユーザの所望する番組を主番組として最初に再生することが可能な放送記録装置に関する。
【背景技術】
【０００２】
日本国において運用されているISDB-T（Integrated Services Digital Broadcasting for Terrestrial）方式の地上デジタルテレビジョン放送では、一つのチャンネルの伝送帯域を１３個のセグメントに分割し、そのうちの１２個のセグメントを地上デジタル放送に割り当てている。そして、１２個のセグメントを全て使用して１チャンネル分のハイビジョン番組が放送されている。また、１２個のセグメントを分割し、最大で３チャンネル分の標準画質の番組を同一時間に放送する「マルチ編成放送」も行われている。
【０００３】
上記マルチ編成放送の番組（マルチ編成番組）は、デフォルトＥＳで規定される１つの主番組と、１つ以上の副番組とから構成される。ユーザが、マルチ編成番組を放送する放送局に選局した場合には、主番組がデフォルトとして最初に出力（画面表示、音声出力等）される。ここで、マルチ編成番組の構成を、図を用いて簡単に説明する。図１４は、マルチ編成番組が存在する場合の電子番組表（EPG :Electronic Program Guide）の一例を示す図である。上述したように、マルチ編成放送とは、デジタル放送において、通常ハイビジョン画質の１つの番組を放送する１チャンネル分の帯域で標準画質の番組を最大３つ放送するものである。図１４の例で示す番組表では、チャンネル番号２を有する放送局が、９：００〜１０：００の時間帯で、１チャンネル分の番組（単一編成番組）である番組Ａを放送する。その後、この放送局は、１０：００〜１１：００の時間帯でマルチ編成番組を放送する。すなわち、１チャンネル分の帯域を３つのサブチャンネルに分割し、各サブチャンネルにおいて番組Ｂ−１、Ｂ−２およびＢ−３を放送する。また、１１：００からは、マルチ編成を終了し、単一編成番組である番組Ｃを放送する。
【０００４】
なお、地上デジタル放送では、映像データ、音声データ、字幕データ、データ放送、および放送サービスのPSI（Program Specific Information）/SI（Service Information）（番組特定情報／番組配列情報）などがそれぞれトランスポート・ストリーム・パケット（TSP: Transport Stream Packet）と呼ばれるパケットに分割され、それらがMPEG2-TS（Transport Stream）形式で時分割に多重化されトランスポート・ストリーム（TS）として１つにまとめて放送されている。分割された映像データや音声データを含む各TSPのヘッダには、データの種類およびサービス（番組）ごとに、PID（Packet ID）と呼ばれる個別の識別情報が付与される。このPIDとPSI/SIとよって、サービス（番組）の映像データや音声データが含まれるTSPを判別することができる。
【０００５】
近年、デジタル放送を録画する機能を有する放送受信装置に、受信したTSをMPEG2-TS形式（ストリーム形式）のまま記録するものがある（なお、これ以降、この形式の録画機能を有する放送受信装置を、「放送記録装置」または「放送録画装置」と称する。）。このような放送記録装置では、上述のマルチ編成番組を記録すると、主番組および副番組共に記録され、従来では、記録したマルチ編成番組の再生時に、デフォルトとして主番組が最初に装置の画面上に表示される。すなわち、マルチ編成番組の記録が副番組を対象とするもので、ユーザが再生時に視聴を所望する番組が副番組であったとしても、従来では、ユーザの意に反し、主番組が最初に再生されてしまう。この場合、ユーザは、記録したマルチ編成番組の再生時に主番組をまず再生・表示させてから、リモコンや装置本体に設けられたキーを介した何らかの操作を行って所望の副番組を表示させる必要があり、非常にユーザビリティに欠ける。また、放送記録装置が、記録したデータをリムーバブルメディアへムーブ（移動）する機能を有している場合もある。しかしながら、現状では、著作権保護の観点から、記録したデータを一旦リムーバブルメディアへムーブしてしまうと、ムーブしたリムーバブルメディアにおいて当該記録したデータを加工することができない。そのため、ユーザが、ムーブしたリムーバブルメディアから記録したマルチ編成番組を再生する場合には、毎回、再生を所望しない主番組が画面に最初に表示されてしまう、という問題がある。
【０００６】
上述のような問題への対策として、従来技術に、マルチ編成番組を番組毎に区分して、区分した各番組に対するサーチ情報等のメタ情報を付加して記録し、マルチ編成番組の再生時に番組毎の再生を可能にした記録装置が開示されている（特許文献１を参照されたい。）。
【０００７】
【特許文献１】特開２００６−２９４２４５号公報
【発明の開示】
【発明が解決しようとする課題】
【０００８】
しかしながら、メタ情報を付加してデータを記録する従来技術による放送記録装置では、メタ情報に互換性をもたせる必要がある。付加されたメタ情報に互換性がない場合は、データを記録した放送記録装置の記録方式に非対応の再生装置では、記録されたデータを再生することができなくなる。
【０００９】
従って、本発明の目的は、上述のような諸問題を解消し、記録したマルチ編成番組の再生時に、当該記録したマルチ編成番組を構成する複数の番組のうち、ユーザの所望する番組を主番組として最初に再生することが可能な、ユーザビリティに優れた放送記録装置を提供することにある。
【課題を解決するための手段】
【００１０】
上述した諸課題を解決すべく、本発明による放送記録装置は、
一の主番組と一以上の副番組とで構成されるマルチ編成の番組を単一のストリーム信号（TS）に含めて放送するマルチ編成放送に対応したデジタル放送の放送記録装置（録画装置）であって、
前記ストリーム信号（TS）を受信する放送受信部と、
前記マルチ編成放送に含まれる番組の番組単位での録画を指示する録画指示部と、
前記録画指示部により録画を指示された番組を含むストリーム信号を格納する記憶部と、
前記録画指示部により録画を指示された番組が副番組である場合、前記記憶部に格納された前記ストリーム信号において、主番組と副番組のcomponent_group_idの値の入れ替えの可否を選択可能にユーザに提示し、当該選択に基づいて、EIT（Event Information Table）におけるコンポーネントグループ記述子の前記副番組のcomponent_group_idの値と前記主番組のcomponent_group_idの値とを入れ替える処理部と、
を具えることを特徴とする。
【００１４】
上述のように、本発明による放送記録装置を、録画を指示されたマルチ編成番組のストリーム信号を一旦記憶部に格納（記録）し、当該記憶部に格納されたストリーム信号（TS）において制御情報を入れ替える態様で説明してきたが、本発明による放送記録装置は、放送受信部で受信中のストリーム信号において制御情報を入れ替えてから、当該制御情報を入れ替えたストリーム信号を記憶部に格納する態様で実施することもできる。
即ち、本発明の実施態様による放送記録装置は、
一の主番組と一以上の副番組とで構成されるマルチ編成の番組を単一のストリーム信号に含めて放送するマルチ編成放送に対応したデジタル放送の放送記録装置（録画装置）であって、
前記デジタル放送のストリーム信号（TS）を受信する放送受信部と、
前記マルチ編成放送に含まれる番組の番組単位での録画を指示する録画指示部と、
前記録画指示部により録画を指示された番組が副番組である場合、前記放送受信部により受信される、前記録画を指示された番組を含む前記マルチ編成放送の主番組および副番組のストリーム信号において、主番組と副番組のcomponent_group_idの値の入れ替えの可否を選択可能にユーザに提示し、当該選択に基づいて、EIT（Event Information Table）におけるコンポーネントグループ記述子の前記副番組のcomponent_group_idの値と前記主番組のcomponent_group_idの値とを入れ替える処理部と、
前記component_group_idの値を入れ替えたストリーム信号を格納する記憶部と、
を具えることを特徴とする。
【発明の効果】
【００１６】
このように、本発明によれば、記録したマルチ編成番組の再生時に、当該記録したマルチ編成番組を構成する複数の番組のうち、ユーザの所望する番組を、主番組として最初に再生することが可能となる。
【発明を実施するための最良の形態】
【００１７】
以下に、諸図面を参照しながら、本発明の一実施態様による放送記録装置を詳細に説明する。なお以下では、放送記録装置として据置き型のものを想定して説明するが、本発明はこれに限られるものではなく、１セグ放送を受信および記録可能な、移動型の携帯受信端末（携帯電話、PDA（パーソナルデジタルアシスタンス）等）にも適用可能であることに留意されたい。また、これ以降の説明では、「録画」と「記録」とを、「ストリーム信号の記憶部への格納」という意味で同義で用いている。
【００１８】
図１は、本発明による放送記録装置の機能ブロック図である。放送記録装置１００は、アンテナＡＮＴ、放送受信部１１０、デマルチプレクサ１２０、映像デコーダ部１３０、字幕デコーダ部１４０、音声デコーダ部１５０、表示部ＤＩＳ、スピーカＳＰ、計測部１６０、記憶部（フラッシュメモリなど）１７０、制御情報処理部１８０、制御部１９０、入力操作部ＫＥＹ、およびシステムバスＳＢを具える。さらに、記憶部１７０は、記録データ記憶部１７２および視聴頻度情報記憶部１７４を具える。また、制御部１９０は、再生制御部１９２および録画制御部１９４を具える。
【００１９】
アンテナＡＮＴは、地上デジタル放送の信号（RF信号）を受信する。放送受信部１１０は、アンテナＡＮＴによって受信されたRF信号を、制御部１９０からの周波数（チャンネル）指定命令に基づいてチューニング（周波数変換）する。なお、制御部１９０からのチャンネル指定命令は、入力操作部ＫＥＹ等を用いてユーザが指定したチャンネルに基づいて生成される。さらに、放送受信部１１０は、チューニングしたRF信号を、MPEG2-TS形式のTS（Transport Stream）信号に復調する。
【００２０】
デマルチプレクサ１２０は、復調されたTS信号内のパケットID（PID）に基づき、TS信号に含まれるTSPを、音声パケット、映像パケット、データ放送パケット、およびPSI/SIに分離する。すなわち、アンテナＡＮＴで受信された放送データを、映像情報、音声情報、字幕情報、および制御情報に分離する。分離された映像パケットは映像デコーダ部１３０に、データ放送パケットは字幕デコーダ部１４０に、音声パケットは音声デコーダ部１５０にそれぞれ出力される。音声デコーダ部１５０は、入力された音声パケット内の音声データをデコードし、スピーカＳＰに出力する。映像デコーダ部１３０および字幕デコーダ部１４０は、入力された映像パケット内の映像データおよびデータ放送パケット内の字幕データをそれぞれデコードし、表示部ＤＩＳに出力する。表示部ＤＩＳは、入力されたデータ放送パケット内のBML（Broadcast Markup Language）に基づくデータ放送画面や電子番組表（EPG）、並びに番組映像を表示する。
【００２１】
計測部１６０は、単一の番組が継続して視聴された時間（番組が表示部ＤＩＳやスピーカＳＰに出力された時間）を計測する。記録データ記憶部１７２は、番組データや制御情報を含むストリーム信号をストリーム形式で格納する。視聴頻度情報記憶部１７４は、計測部１６０により計測された、番組毎の視聴継続時間を格納する。制御情報処理部１８０は、記録されたマルチ編成番組の主番組および副番組に関する情報に対し所定の処理を行う。再生制御部１９２は、記録データ記憶部１７２に格納された記録データの再生を制御する。録画制御部１９４は、記録（録画）すべき番組の指示や、これ以降に述べる記録処理時の各判定動作を行う。また、入力操作部ＫＥＹは、ユーザからの入力操作を受け付ける。
【００２２】
本発明の一実施態様による放送記録装置は、録画予約されたマルチ編成番組の記録時に、録画予約の対象として指定されたサブチャンネルが副チャンネルである場合、すなわち、指定されたサブチャンネルで放送されている番組が副番組である場合、マルチ編成番組の主番組と副番組とに関する制御情報を入れ替えて記録する。また、別の実施態様による放送記録装置は、ユーザがマルチ編成番組の視聴中に録画を開始し、録画の対象として指定されたサブチャンネルが副チャンネルである場合に、マルチ編成番組の主番組と副番組とに関する制御情報を入れ替えて記録する。このような、本発明の放送記録装置１００による記録処理を、以下にフローチャートに基づき説明する。
【００２３】
図２および図３は、本発明による放送記録装置１００の記録処理の一例を示すフローチャートである。図２のフローチャートによる記録処理は予約録画の場合、図３は視聴中の録画の場合を示す。まず、図２を用いて、予約録画の場合の本発明による記録処理を説明する。ユーザは、入力操作部ＫＥＹ等を介した所定の操作を行って、予めマルチ編成番組の録画を予約し、ユーザにより録画予約された番組に関する情報は、記憶部１７０に格納される。放送記録装置１００は、録画予約されている番組の開始時刻（放送時刻）になると、記録処理を開始する。まず、録画制御部１９４の指示に基づき、放送波受信部１１０が、ユーザにより録画予約（指定）されたサブチャンネルを含むマルチ編成放送の、放送波を受信する（ステップＳ１１）。録画制御部１９４は、受信した放送波に含まれる録画すべきマルチ編成放送のTSを、記録データ記憶部１７２に格納する（ステップＳ１２）。その後、ステップＳ１３にて、現在時刻が録画を終了する時刻として設定された時刻（終了時刻）であると判定されるまで、ステップＳ１１、Ｓ１２を繰り返して番組の録画を継続する。指定された番組の録画が終了すると（現在時刻が終了時刻であると判定すると）、録画制御部１９４は、録画予約された番組を放送するサブチャンネルが主チャンネルであるか否か、すなわち、録画予約された番組が主番組であるか否かを判定する（ステップＳ１４）。
【００２４】
ここで、マルチ編成放送における主番組および副番組の判定方法について説明する。ARIB（Association of Radio Industries And Businesses:社団法人電波産業会）によれば、マルチ編成放送に関する情報（制御情報）は、EIT（Event Information Table）におけるコンポーネントグループ記述子に記述される。なお、EITはSIの１つであり、番組の名称、放送日時および内容の説明等の番組に関する情報が記述されている。図１１および１２に、EITおよびコンポーネントグループ記述子のデータ構造の概略図をそれぞれ示す。図１１に示すように、コンポーネントグループ記述子はEITに記述される。図１２に示すコンポーネントグループ記述子において、マルチ編成番組を構成する各番組（主番組および副番組）に対し、コンポーネントグループID（component_group_id）が割り当てられる。コンポーネントグループIDの値が“０x０”である番組は主番組であり、それ以外の番組は副番組となる。従って、EITに記述されたコンポーネントグループIDの値によって、記録すべき番組が主番組か否かを判定することができる。
【００２５】
なお、マルチ編成番組の各番組を構成するストリーム（映像、音声、字幕等）を含むTSPを判別するのに、PMT（Program Map Table）が用いられる。図１３に、PMTのデータ構造の概略図を示す。マルチ編成番組では、各コンポーネントグループIDに対して、当該コンポーネントグループIDが割り当てられた番組を構成する要素ストリームの種別（映像、音声、字幕等の種別）を識別するコンポーネントタグ（component_tag）が記述される。PSIの１つであるPMTには、図１３に示すように、コンポーネントタグに対応したPIDが記述されており、PMTから、所望の番組のコンポーネントグループIDに関連するコンポーネントタグに対応するPIDを有するTSPを判別することができる。受信側では、所望の番組のストリームを含むTSPを受信して、そのTSPに含まれる映像、音声、字幕データ等から番組を再生（出力）する。
【００２６】
図２のフローチャートの説明に戻る。ステップＳ１４にて、録画予約されたサブチャンネルが主チャンネルである、すなわち録画予約されたサブチャンネルで放送される番組が主番組であると判定された場合は、記録処理を終える。ステップＳ１４にて、録画予約されたサブチャンネルが主チャンネルでない、すなわち録画予約されたサブチャンネルで放送されている番組が副番組であると判定された場合は、ステップＳ１５へ進む。ステップＳ１５にて、制御情報処理部１８０は、記録データ記憶部１７２に格納（記録）されたTSにおいて、主チャンネルの制御情報と録画予約（指定）されたサブチャンネルの制御情報とを入替え、入れ替えたTSを記録データとして格納する。具体的には、録画予約された副番組に対するコンポーネントグループIDの値を、主番組であることを示す“０x０”に書換え、主番組に対するコンポーネントグループIDの値を、録画予約された副番組のコンポーネントグループIDの値に書き換える。上述の記録処理により、録画予約された副番組のストリームが、主番組として記憶部に格納されるため、再生時には、録画予約された副番組が、デフォルトとして最初に再生・表示されるようになる。
【００２７】
次に、図３を用いて、視聴中の録画の場合の本発明による記録処理を説明する。ユーザが、マルチ編成番組の視聴中に、入力操作部ＫＥＹ等を介した所定の操作を行って録画の開始を指示すると、放送記録装置１００は、記録処理を開始する。まず、録画制御部１９４は、放送波受信部１１０により受信される放送波に含まれる録画すべきマルチ編成放送のTSを、記録データ記憶部１７２に格納する（ステップＳ２１）。その後、ステップＳ２２にて、ユーザによる録画終了の指示ありと判定されるまで、番組の録画（TSの記録データ記憶部１７２への格納）を継続する。録画制御部１９４は、ステップＳ２２にて録画終了の指示ありと判定すると、ユーザから、記録すべきサブチャンネルの指示を受け付ける（ステップＳ２３）。なお、録画制御部１９４は、ユーザからの指示を受け付けるにあたって、録画終了の指示があった際に、例えば、表示部ＤＩＳを制御して記録すべきサブチャンネルの選択を促す画面を表示させたり、スピーカＳＰを制御して選択を促す音声案内を出力したりする。ステップＳ２４にて、ユーザにより指定されたサブチャンネルが主チャンネルであるか否か、すなわち、指定されたサブチャンネルで放送する番組が主番組であるか否かを判定する。判定方法については、上述の実施態様で説明した方法と同様であるため説明を省略する。
【００２８】
ステップＳ２４にて、ユーザにより指定されたサブチャンネルが主チャンネルでない、すなわち指定されたサブチャンネルで放送される番組が副番組であると判定された場合は、ステップＳ２５へ進む。ステップＳ２５にて、制御情報処理部１８０は、記録データ記憶部１７２に格納されたTSにおいて、主チャンネルの制御情報と指定されたサブチャンネルの制御情報とを入替え、制御情報を入れ替えたTSを記録データとして格納する。制御情報の入替え処理については、上述の実施態様と同様であるため説明を省略する。制御情報の入替え処理により、ユーザにより指定された副番組のストリームが主番組として記憶部に格納されるため、再生時には、再生制御部１９２により、ユーザにより指定された副番組が、デフォルトとして最初に再生・表示される。
【００２９】
図４を用いて、ステップＳ１５（図２）、Ｓ２５（図３）における制御情報の入替え処理について説明する。図４は、記憶部１７０に格納された制御情報および番組のTSを示す図である。図の例は、２つの番組Aおよび番組Bから成るマルチ編成番組を記録した場合であり、図４（ａ）は、制御情報を入れ替える前、図４（ｂ）は、制御情報を入れ替えた後の記憶部１７０を示す。説明を簡単にするため、図４において、コンポーネントグループIDが“１”に対応する番組を「主番組」、“２”に対応する番組を「副番組」とする。上述したように、記録したTSに含まれるEITに記述されたコンポーネントグループIDに関連するコンポーネントタグ値から、各コンポーネントグループIDに対応する番組のストリーム（映像、音声および字幕等）を含むTSPのPIDを取得することができる。図４の例では、コンポーネントグループIDが“１”である主番組のストリームを含むTSPのPIDは、“1001”,“1002”および“1003”である。なお、ARIBの規定により、コンポーネントタグ値から、当該コンポーネントタグに対応するPIDを有するTSPに含まれる要素ストリームの種別を判別することができる。例えば、映像データのストリームに対するコンポーネントタグ値は、“0x00〜0x0F”の範囲、音声データのストリームに対するコンポーネントタグ値は、“0x10〜0x2F”の範囲に規定されている。従って、コンポーネントタグ値から、当該コンポーネントタグ値に対応するPIDを有するTSPに含まれる要素ストリームが、映像であるか、音声であるか、または字幕であるかを判別することができる。図の例では、コンポーネントグループＩＤが“１”である主番組が、１つの映像と２つの音声から構成されている。
【００３０】
図４（ａ）の例では、PIDが“1001”,“1002”および“1003”であるTSPに含まれるデータは「番組A」に関するものであり、従って、記憶部１７０は、「番組A」が「主番組」であるマルチ編成番組を記録している。また、コンポーネントグループIDが“２”である副番組のストリームを含むTSPのPIDは、“2001”,“2002”および“2003”であり、PIDが“2001”,“2002”および“2003”であるTSPに含まれるデータは「番組B」に関するものである。従って、「番組B」は「副番組」である。ここで、このマルチ編成番組を記録したユーザは、記録したデータの再生時には、副番組である「番組B」が最初に表示されることを所望しているとする。この場合、ステップＳ１５、Ｓ２５において、図４（ｂ）のように、制御情報として主番組および副番組を規定する、「コンポーネントグループID」を書き換える処理が行われる。この処理により、「主番組」であることを示す「コンポーネントグループＩＤが“１”」の番組のデータは、PIDが“2001”,“2002”および“2003”のTSPに含まれることになる。従って、再生時には、番組を構成するデータが、PIDが“2001”,“2002”および“2003”のTSPに含まれる「番組B」が、主番組として最初に表示されるようになる。このように、本発明によれば、記録したマルチ編成番組の再生時に、ユーザの所望する番組を、主番組として最初に表示することができる。従って、従来のように、「番組B」の記録を所望してマルチ編成番組を録画したユーザに対して、当初の主番組である「番組A」を表示させて苛立たせることがない、ユーザビリティに優れた放送記録装置を提供することができる。
【００３１】
上述した実施態様では、記録された番組のTS、すなわち記憶部に格納されたTSに対して制御情報の入替え処理を行う。しかしながら、本発明によれば、制御情報の入替え処理を行いつつ記録すべき番組のTSを記憶部に格納することもできる。これ以下に、制御情報の入替え処理を行いつつ番組を記録する実施態様について、フローチャートを用いて説明する。図５および図６は、本発明による放送記録装置１００の記録処理の一例を示すフローチャートである。図５のフローチャートによる記録処理は予約録画の場合、図６は視聴中の録画の場合を示す。
【００３２】
図５を用いて、予約録画の場合について説明する。ユーザは、入力操作部ＫＥＹ等を介した所定の操作を行って、予めマルチ編成番組の録画を予約し、ユーザにより予約された番組に関する情報は、記憶部１７０に格納されているものとする。放送記録装置１００は、録画予約されている番組の開始時刻（放送時刻）になると、記録処理を開始する。まず、録画制御部１９４の指示に基づき、放送波受信部１１０が、ユーザにより録画予約（指定）された番組を放送するサブチャンネルを含むマルチ編成放送の放送波を受信する（ステップＳ３１）。次に、録画制御部１９４は、録画予約された番組を放送するサブチャンネルが主チャンネルであるか否か、すなわち、録画予約された番組が主番組であるか否かを判定する（ステップＳ３２）。なお、判定方法については、上述の実施態様と同様であるため説明を省略する。ステップＳ３２にて、録画予約されたサブチャンネルが主チャンネルである、すなわち録画予約されたサブチャンネルで放送される番組が主番組であると判定された場合は、ステップＳ３４へ進み、放送波に含まれるTSを記録データ記憶部１７２に格納する。ステップＳ３２にて、録画予約されたサブチャンネルが主チャンネルでない、すなわち録画予約されたサブチャンネルで放送される番組が副番組であると判定された場合は、ステップＳ３３へ進む。
【００３３】
ステップＳ３３にて、制御情報処理部１８０は、放送波受信部１１０にて受信中の放送波に含まれるTSにおいて、主チャンネルの制御情報と録画予約（指定）されたサブチャンネルの制御情報とを入替え、制御情報を入れ替えたTSを記録データとして格納する。なお、制御情報の入替え処理については、上述の実施態様と同様であるため説明を省略する。その後、ステップＳ３４にて、現在時刻が録画を終了する時刻として設定された時刻（終了時刻）であると判定されるまで、番組の録画を継続する。ステップＳ３２にて、録画予約されたサブチャンネルが主チャンネルである、すなわち録画予約されたサブチャンネルで放送される番組が主番組であると判定された場合は、ステップＳ３５へ進み、放送波に含まれるTSを記録データ記憶部１７２に格納する。その後、ステップＳ３６にて、現在時刻が録画を終了する時刻として設定された時刻（終了時刻）であると判定されるまで、番組の録画を継続する。
【００３４】
次に、図６を用いて、視聴中の録画の場合を説明する。ユーザが、マルチ編成番組の視聴中に、入力操作部ＫＥＹ等を介した所定の操作を行って録画の開始を指示すると、放送記録装置１００は、記録処理を開始する。まず、録画制御部１９４は、ユーザから、記録すべきサブチャンネルの指示を受け付ける（ステップＳ４１）。なお、録画制御部１９４は、ユーザからの指示を受け付けるにあたって、録画開始の指示があった際に、例えば、表示部ＤＩＳを制御して記録すべきサブチャンネルの選択を促す画面を表示させたり、スピーカＳＰを制御して選択を促す音声案内を出力したりする。ステップＳ４１にて、ユーザにより指定されたサブチャンネルが主チャンネルであるか否か、すなわち、指定されたサブチャンネルで放送する番組が主番組であるか否かを判定する。判定方法については、上述の実施態様で説明した方法と同様であるため説明を省略する。
【００３５】
ステップＳ４２にて、ユーザにより指定されたサブチャンネルが主チャンネルでない、すなわちユーザにより指定されたサブチャンネルで放送される番組が副番組であると判定された場合は、ステップＳ４３へ進む。ステップＳ４３にて、制御情報処理部１８０は、放送波受信部１１０にて受信中の放送波に含まれるTSにおいて、主チャンネルの制御情報とユーザにより指定されたサブチャンネルの制御情報とを入替え、制御情報を入れ替えたTSを記録データとして格納する。なお、制御情報の入替え処理については、上述の実施態様と同様であるため説明を省略する。その後、ステップＳ４４にて録画終了の指示ありと判定されるまで、主チャンネルの制御情報とユーザにより指定されたサブチャンネルの制御情報とを入れ替えながら記録を継続する。また、ステップＳ４２にて、ユーザにより指定されたサブチャンネルが主チャンネルである、すなわちユーザにより指定されたサブチャンネルで放送される番組が主番組であると判定された場合は、ステップＳ４５へ進み、ステップＳ４６にて録画終了の指示ありと判定されるまで、放送波受信部１１０により受信される放送波に含まれる録画すべきマルチ編成放送のTSを、記録データ記憶部１７２に格納する。
【００３６】
図５および図６で説明した記録処理により、録画予約またはユーザにより指定された副番組のストリームが主番組として記憶部に格納されるため、再生時には、録画予約またはユーザにより指定された副番組が、デフォルトとして最初に再生・表示されるようになる。
【００３７】
上述の実施態様では、マルチ編成番組のうち主番組として記録する番組を、ユーザの指定に基づき決定する。これとは別の実施態様として、マルチ編成放送の視聴中にユーザからの録画指示があった場合に、主番組として記録する番組を、ユーザの視聴頻度に応じて決定することもできる。例えば、マルチ編成番組を構成する番組のうちユーザによる累計の視聴時間が最も長い番組を、ユーザが記録を所望する番組とみなし、主番組として記録することができる。これ以降に、フローチャートを用いて本実施態様を説明する。
【００３８】
図７は、視聴頻度に基づいて主番組として記録する番組を決定する記録処理の一例を示すフローチャートである。放送記録装置１００は、ユーザによる録画の開始指示に応じて記録処理を開始する。まず、録画制御部１９４は、放送波受信部１１０により受信される放送波に含まれる録画すべきマルチ編成放送のTSを、記録データ記憶部１７２に格納する（ステップＳ５１）。同時に、計測部１６０は、視聴中の番組の視聴時間の計測を開始する。その後、ステップＳ５３にて、ユーザによる録画終了の指示ありと判定されるまで、番組の録画を継続する。その間、マルチ編成放送のサブチャンネル間でチャンネルが切り替えられた場合、録画制御部１９４は、計測部１６０により計測された切替え前のチャンネルの視聴時間を、切替え前のチャンネルに関する情報とともに、視聴頻度情報として視聴頻度情報記憶部１７４に格納する。視聴頻度情報記憶部１７４に、既に切替え前のチャンネルに関する視聴時間が格納されていた場合は、格納されていた視聴時間と最新の視聴時間とを加算した累積視聴時間を格納する（ステップＳ５２）。また、計測部１６０は、切替え後のチャンネルで放送される番組の視聴時間の計測を開始する。録画制御部１９４は、ステップＳ５３にて録画終了の指示ありと判定すると、視聴頻度情報記憶部１７４に格納されている視聴頻度情報から、最も視聴頻度の高いサブチャンネル、すなわち、ユーザによる累積視聴時間が最長の番組を放送するサブチャンネルを抽出する（ステップＳ５４）。
【００３９】
次に、録画制御部１９４は、ステップＳ５４にて抽出されたサブチャンネルが主チャンネルであるか否か、即ち、ユーザによる累積視聴時間が最長の番組が主番組であるか否かを判定する（ステップＳ５５）。なお、判定方法については、上述の実施態様と同様であるため、説明を省略する。ステップＳ５５にて、ステップＳ５４で抽出されたサブチャンネルが主チャンネルである、すなわちユーザによる累積視聴時間が最長の番組が主番組であると判定された場合は、録画制御部１９４は、処理を終了する。ステップＳ５４で抽出されたサブチャンネルが主チャンネルでない、すなわち、ユーザによる累積視聴時間が最長の番組が副番組であると判定された場合は、ステップＳ５６へ進む。ステップＳ５６にて、制御情報処理部１８０は、記録データ記憶部１７２に格納されたＴＳにおいて、主チャンネルの制御情報とステップＳ５４にて録画制御部１９４が抽出したサブチャンネルの制御情報とを入替え、制御情報を入れ替えたTSを記録データとして格納する。なお、制御情報の入替え処理は上述の実施態様と同様であるため説明を省略する。
【００４０】
なお、ユーザが、リアルタイムでは視聴していないサブチャンネルで放送された番組を、後に視聴したい場合も考えられる。従って、主番組として記録する番組は、最も視聴頻度の高い番組ではなく、最も視聴頻度の低い番組とすることもできる。
【００４１】
さらに別の実施態様として、記録した副番組を再生時に最初に表示させるために、再生時の主チャンネルを規定した再生チャンネル情報を記録データとともに格納し、再生時に当該再生チャンネル情報を参照する手法も考えられる。以下に、本実施態様について諸図面を参照しながら説明する。
【００４２】
図８は、本実施態様による放送記録装置の機能ブロック図である。放送記録装置１００Ａは、アンテナＡＮＴ、放送受信部１１０、デマルチプレクサ１２０、映像デコーダ部１３０、字幕デコーダ部１４０、音声デコーダ部１５０、表示部ＤＩＳ、スピーカＳＰ、計測部１６０、記憶部１７０Ａ、再生チャンネル情報生成部１８２、制御部１９０Ａ、入力操作部ＫＥＹ、およびシステムバスＳＢを具える。さらに、記憶部１７０Ａは、記録データ記憶部１７２、視聴頻度情報記憶部１７４および再生チャンネル情報記憶部を具える。また、制御部１９０Ａは、再生制御部１９２および録画制御部１９４を具える。ここで、図１の放送記録装置１００と同一の符号で、図１の放送記録装置１００と同じ機能を有する構成部については説明を省略する。
【００４３】
再生チャンネル情報生成部１８２は、再生時に最初に表示する番組を規定した再生チャンネル情報を生成する。再生チャンネル情報記憶部１７６は、再生チャンネル情報生成部１８２により生成された再生チャンネル情報を格納する。本実施態様による記録処理を、図９のフローチャートを用いて説明する。図９は、本実施態様による記録処理の一例を示すフローチャートである。ユーザは、入力操作部ＫＥＹ等を介した所定の操作を行って、マルチ編成番組の録画を予約し、ユーザにより録画予約された番組に関する情報は、記憶部１７０に格納される。放送記録装置１００は、録画予約されている番組の開始時刻（放送時刻）になると、記録処理を開始する。まず、録画制御部１９４の指示に基づき、放送波受信部１１０が、ユーザにより録画予約（指定）されたサブチャンネルを含むマルチ編成放送の、放送波を受信する（ステップＳ６１）。録画制御部１９４は、受信した放送波に含まれる録画すべきマルチ編成放送のTSを、記録データ記憶部１７２に格納する（ステップＳ６２）。その後、ステップＳ６３にて、現在時刻が録画を終了する時刻として設定された時刻（終了時刻）であると判定されるまで、ステップＳ６１、Ｓ６２を繰り返して番組の録画を継続する。指定された番組の録画が終了すると（現在時刻が終了時刻であると判定すると）、録画制御部１９４は、録画予約された番組を放送するサブチャンネルが主チャンネルであるか否か、すなわち、録画予約された番組が主番組であるか否かを判定する（ステップＳ６４）。判定方法は、上述の実施態様による方法と同様であるため説明を省略する。
【００４４】
ステップＳ６４にて、録画予約されたサブチャンネルが主チャンネルである、すなわち録画予約されたサブチャンネルで放送される番組が主番組であると判定された場合は、記録処理を終える。ステップＳ６４にて、録画予約されたサブチャンネルが主チャンネルでない、すなわち録画予約されたサブチャンネルで放送されている番組が副番組であると判定された場合は、ステップＳ６５へ進む。ステップＳ６５にて、再生チャンネル情報生成部１８２は、再生時にデフォルトとして最初に表示すべき番組が副番組である、という旨の情報を生成し、再生チャンネル情報記憶部１７６に格納する。
【００４５】
次に、再生時の処理についてフローチャートを用いて説明する。図１０は、本実施態様による再生処理の一例を説明するフローチャートである。放送記録装置１００Ａが記録したマルチ編成番組の再生を開始すると、再生制御部１９２は、再生チャンネル情報記憶部１７６に格納された再生チャンネル情報を読み出す（ステップＳ７１）。次に、再生制御部１９２は、再生チャンネル情報に規定されたデフォルトとして最初に表示すべき番組のTSP（番組データ）のみ抽出するように、デマルチプレクサ１２０を制御する（ステップＳ７２）。その後、再生制御部１９２は、各デコーダ部１３０〜１５０、表示部ＤＩＳおよびスピーカＳＰを制御して、抽出された番組データを再生する。
【００４６】
なお、本実施態様において、予約録画の場合だけでなく、視聴中の録画の場合も同様に、再生チャンネル情報を生成することができる。また、再生チャンネル情報に主番組として規定する番組を、ユーザの指定による番組ではなく、視聴頻度に応じて決定することもできる。
【００４７】
なお、あるチャンネルで放送されている単一編成番組を録画している際に、そのチャンネルがマルチ編成番組の放送を開始する場合も考えられる（図１４を参照されたい。）。この場合、録画制御部１９４は、視聴中の録画であれば、表示部ＤＩＳを制御して、録画中のチャンネルでマルチ編成番組が放送された旨および記録すべきサブチャンネルの選択を促す画面を表示させたり、スピーカＳＰを制御して選択を促す音声案内を出力したりして、ユーザに主番組として記録すべきサブチャンネルを選択させることができる。あるいは、上述したように、視聴頻度に基づいて、主番組として記録すべきサブチャンネルを決定してもよい。また、マルチ編成番組を構成する番組のうち、マルチ編成番組の開始前に放送されていた単一編成番組と関連性の高い番組を、主番組として記録することもできる。これは例えば、単一編成番組にて中継放送されていた野球試合が延長された場合に、当該延長された野球試合を、異なるチャンネル（サブチャンネル）で継続して中継放送するイベントリレーが行われる際に有効である。単一編成番組と関連性の高い番組がマルチ編成番組として放送されるか否か（イベントリレーされるか否か）の判定は、EITに記述されるイベントグループ記述子（event_group_descripter）に基づいて行うことができる。また、上述の各実施態様において、主番組と副番組の制御情報を入れ替える際に、ポップアップ表示等により、制御情報の入れ替えの可否を選択可能にユーザに提示し、ユーザ選択に基づいて制御情報の入れ替えを実行しても良い。
【００４８】
さらに別の実施態様として、マルチ編成番組を構成する番組のうち、主番組として記録すべき番組のTSのみを記録データ記憶部１７２に格納して、記憶部の使用容量を低減することもできる。
【００４９】
本発明の利点を再度述べる。上述したように、本発明による放送記録装置によれば、録画されたマルチ編成番組の再生時に、当該録画されたマルチ編成番組を構成する複数の番組のうち、ユーザの所望する番組を、主番組として最初に再生することが可能となる。従って、従来と異なり、副番組の記録を所望してマルチ編成番組を録画したユーザに対し、再生時に主番組を表示させて、苛立たせることがない。さらに、本発明による記録処理は、ARIBの規定に沿った制御情報（component_group_id）の入替えのみであるため、記録したデータをリムーバブルメディアへムーブしても、当該リムーバブルメディアを他の放送記録／受信装置で再生することができ、その際に、所望の番組を主番組として最初に再生させることができる。
【００５０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各手段などに含まれる機能などは論理的に矛盾しないように再配置可能であり、複数の構成部を１つに組み合わせたり、或いは分割したりすることが可能である。
【図面の簡単な説明】
【００５１】
【図１】本発明による放送記録装置の機能ブロック図である。
【図２】本発明による放送記録装置１００の記録処理の一例を示すフローチャートである。
【図３】本発明による放送記録装置１００の記録処理の一例を示すフローチャートである。
【図４】記憶部１７０に格納された制御情報および番組のTSを示す図である。
【図５】本発明による放送記録装置１００の記録処理の一例を示すフローチャートである。
【図６】本発明による放送記録装置１００の記録処理の一例を示すフローチャートである。
【図７】視聴頻度に基づいて主番組として記録する番組を決定する記録処理の一例を示すフローチャートである。
【図８】一実施態様による放送記録装置の機能ブロック図である。
【図９】一実施態様による記録処理の一例を示すフローチャートである。
【図１０】一実施態様による再生処理の一例を説明するフローチャートである。
【図１１】EITのデータ構造の概略図である。
【図１２】コンポーネントグループ記述子のデータ構造の概略図である。
【図１３】PMTのデータ構造の概略図である。PMTのデータ構造の概略図
【図１４】マルチ編成番組が存在する場合の電子番組表（EPG）の一例を示す図である。
【符号の説明】
【００５２】
１００，１００Ａ  放送記録装置
１１０  放送波受信部
１２０  デマルチプレクサ
１３０  映像デコーダ
１４０  字幕デコーダ
１５０  音声デコーダ
１６０  計測部
１７０，１７０Ａ  記憶部
１７２  記録データ記憶部
１７４  視聴頻度情報記憶部
１７６  再生チャンネル情報記憶部
１８０  制御情報処理部
１８２  再生チャンネル情報生成部
１９０，１９０Ａ  制御部
１９２  再生制御部
１９４  録画制御部
ＤＩＳ  表示部
ＳＰ  スピーカ
ＫＥＹ  入力操作部
ＳＢ  システムバス
ＡＮＴ  アンテナ
【図１】
0005449681.tif 000002
【図２】
0005449681.tif 000003
【図３】
0005449681.tif 000004
【図４】
0005449681.tif 000005
【図５】
0005449681.tif 000006
【図６】
0005449681.tif 000007
【図７】
0005449681.tif 000008
【図８】
0005449681.tif 000009
【図９】
0005449681.tif 000010
【図１０】
0005449681.tif 000011
【図１１】
0005449681.tif 000012
【図１２】
0005449681.tif 000013
【図１３】
0005449681.tif 000014
【図１４】
0005449681.tif 000015